(57)【要約】      （修正有）【課題】配管を施工した後に配管継手に設置できるカバー体を提供する。【解決手段】エルボ１に装着されるカバー体であって、第１孔１１ａ１を有し、エルボの１側面に接する第１側板１１ａと、第２孔を有し、２側面に接する第２側板１１ｃと、第１背板１１ｂと、第２背板と、第１接続口１ａの隙間の１半面を塞ぐ第１接続口板１１ｄと、第２接続口１ｂに面して配置された第２接続口板と、を有する主カバー１１と、第１接続口１ａの隙間の２半面を塞ぐ第３接続口板１３ａと、第４接続口板１３ｂと、第３孔を有する第１支持板１３ｃと、第４孔を有する第２支持板１３ｄと、を有する副カバー１３と、第１孔、第２孔、第３孔、及び第４孔を貫通し、主カバーと副カバーをエルボに固定する締結部品１５と、を備える。【選択図】図４
0003230472.tif 000002
【実用新案登録請求の範囲】
【請求項１】
第１接続口と、第２接続口と、を有するエルボに装着されるカバー体であって、
主カバーであって、
第１孔を有し、前記第１接続口と前記第２接続口の１側面に接して配置された第１側板と、
第２孔を有し、前記エルボの前記１側面と反対の２側面に接して配置された第２側板と、
前記第１側面と前記第２側面とを接続し、前記第２接続口から見て前記エルボの背面に接して配置された第１背板と、
前記第１背板と接続し、前記第１接続口から見て前記エルボの背面に接して配置された第２背板と、
前記第１背板に接続し、前記第１接続口に面して配置され、前記第１側板と前記第２側板と前記第１接続口との空間のうちの前記第１背板に連なる１半面を塞ぐ第１接続口板と、
前記第２背板に接続し、前記第２接続口に面して配置され、前記第１側板と前記第２側板と前記第２接続口との空間のうちの前記第２背板に連なる１半面を塞ぐ第２接続口板と、
を有する主カバーと、
副カバーであって、
前記第１接続口の前記１半面と反対側の２半面を塞ぐ第３接続口板と、
前記第３接続口板と接続し、前記第２接続口の前記１半面と反対側の２半面を塞ぐ第４接続口板と、
第３孔を有し、前記第３接続口板と接続する１支持板と、
第４孔を有し、前記第３接続口板と接続する２支持板と、
を有する副カバーと、
前記第１孔、前記第２孔、前記第３孔及び前記第４孔を貫通し、前記主カバーと前記副カバーを前記エルボに固定する締結部品と、
を備えるカバー体。
【請求項２】
前記主カバーは、
前記第２背板に接続され、前記第１側板に重ねて配置され、前記第１孔と重なる第５孔を有する第１支持板と、
前記第２背板に接続され、前記第２側板に重ねて配置され、前記第２孔と重なる第６孔を有する第２支持板と、を有し、
前記締結部品は前記第５孔及び前記第６孔を貫通する、
請求項１のカバー体。
【請求項３】
前記第１接続口板と前記第３接続口板との少なくともいずれか一方に配置され、前記第１接続口を露出させる第１の接続溝と、
前記第２接続口板と前記第４接続口板との少なくともいずれか一方に配置され、前記第２接続口を露出させる第２の接続溝と、を備える、
請求項１又は２のカバー体。
【請求項４】
２つの第１接続口を有する主管と、前記主管から分岐して第２接続口を有する枝管とを含むティーに装着されるカバー体であって、
主カバーであって、
２つの第１孔を有し、前記主管と前記枝管とに面する１側面に接して配置された１側板と、
２つの第２孔を有し、前記ティーの前記１側面と反対側の２側面に接して配置された２側板と、
前記主管に接して、前記第１側面と前記第２側面とを接続し、前記第２接続口から見て前記エルボの背面に接して配置された背板と、
前記背板に接続し、それぞれの前記第１接続口に面して配置され、前記第１側板と前記第２側板と前記第１接続口との空間のうちの前記背板に連なる１半面を塞ぐ一対の第１接続口板と、
を有する主カバーと、
一対の副カバーであって、
前記第１接続口の前記１半面と反対側の２半面を塞ぐ第２接続口板と、
前記第２接続口板と接続し、前記第２接続口の半面を塞ぐ第３接続口板と、
第３孔を有し、前記第３接続口板と接続する１支持板と、
第４孔を有し、前記第３接続口板と接続する２支持板と、
を有する副カバーと、
前記第１孔、前記第２孔、前記第３孔及び前記第４孔を貫通し、前記主カバーと前記副カバーを前記エルボに固定する締結部品と、
を備えるカバー体。
【請求項５】
前記第１接続口板と前記第２接続口板との少なくともいずれか一方に配置され、前記第１接続口を露出させる第１の接続溝と、
前記第３接続口板に配置され、前記第２接続口を露出させる第２の接続溝と、を備える、
請求項４のカバー体。
【請求項６】
前記締結部品は、前記第１接続口と前記第２接続口との中間に配置される、
請求項１〜５のいずれかのカバー体。
【請求項７】
配管を接続する接続口及び雄ねじを有するエルボコネクタに装着されるカバー体であって、
主カバーであって、
第１孔を有し、接続口の軸線と前記雄ねじの軸線に面した前記エルボコネクタの１側面に接して配置された第１側板と、
第２孔を有し、前記第１側板と反対側の２側面に接して配置された第２側板と、
前記第１側板と前記第２側板とを接続し、前記雄ねじから見て前記エルボの背面に接して配置された第１背板と、
前記第１背板と接続し、前記接続口から見て前記エルボの背面に接して配置された第２背板と、
前記第１背板に接続し、前記接続口に面して配置され、前記第１側板と前記第２側板と前記接続口との空間のうちの前記背板に連なる１半面を塞ぐ接続口板と、
を有する主カバーと、
副カバーであって、
前記接続口の前記１半面と反対側の２半面を塞ぐ第２接続口板と、
前記第２接続口板と接続し、前記接続口の側面に接して配置された胸板と、
第３孔を有し、前記胸板と接続する１支持板と、
第４孔を有し、前記胸板と接続する２支持板と、
を有する副カバーと、
前記第１孔、前記第２孔、前記第３孔及び前記第４孔を貫通し、前記主カバーと前記副カバーを前記エルボに固定する締結部品と、
を備えるカバー体。
【請求項８】
前記主カバーは、
前記第２背板に接続され、前記第１側板に重ねて配置され、前記第１孔と重なる第５孔を有する第１支持板と、
前記第２背板に接続され、前記第２側板に重ねて配置され、前記第２孔と重なる第６孔を有する第１支持板と、を有し、
前記締結部品は前記第５孔及び前記第６孔を貫通する、
請求項６のカバー体。
【請求項９】
前記第１接続口板と前記第２接続口板との少なくともいずれか一方に配置され、前記接続口を露出させる第１の接続溝を備える、
請求項６のカバー体。
【請求項１０】
前記締結部品は、前記接続口と前記雄ねじとの中間に配置される、
請求項１〜７のいずれかのカバー体。
【請求項１１】
前記締結部品はねじであり、
前記第１孔と、前記第２孔と、前記第３孔と、前記第４孔の少なくとも１つは、前記ねじの谷の径と同一の穴径を有する、
請求項１〜１０のいずれかのカバー体。
【考案の詳細な説明】
【技術分野】
【０００１】
本考案は、カバー体に関する。
【背景技術】
【０００２】
洗浄やジェットによるバリ取り加工に用いるジェット洗浄機、ウォータージェット切断機や工作機械は、液体配管を有する。液体配管の内部に洗浄液やクーラント液が流動する。液体配管が破れた場合には、液体が破損部位から噴出する。配管内を流動する液体が高圧の場合、勢いよく液体が噴出する場合がある。そこで、金属製のベローズ保護管内に液体配管を設置する場合がある。
【考案の概要】
【考案が解決しようとする課題】
【０００３】
配管の設置及びメンテナンスを容易にするため、配管施工後に配管継手に装着できるカバー体を提供する。
【課題を解決するための手段】
【０００４】
本考案の第１の側面は、第１接続口及び第２接続口を有するエルボに装着されるカバー体であって、
主カバーであって、
第１孔を有し、前記第１接続口と前記第２接続口の１側面に接して配置された第１側板と、
第２孔を有し、前記エルボの前記１側面と反対の２側面に接して配置された第２側板と、
前記第１側面と前記第２側面とを接続し、前記第２接続口から見て前記エルボの背面に接して配置された第１背板と、
前記第１背板と接続し、前記第１接続口から見て前記エルボの背面に接して配置された第２背板と、
前記第１背板に接続し、前記第１接続口に面して配置され、前記第１側板と前記第２側板と前記第１接続口との空間のうちの前記第１背板に連なる１半面を塞ぐ第１接続口板と、
前記第２背板に接続し、前記第２接続口に面して配置され、前記第１側板と前記第２側板と前記第２接続口との空間のうちの前記第２背板に連なる１半面を塞ぐ第２接続口板と、
を有する主カバーと、
副カバーであって、
前記第１接続口の前記１半面と反対側の２半面を塞ぐ第３接続口板と、
前記第３接続口板と接続し、前記第２接続口の前記１半面と反対側の２半面を塞ぐ第４接続口板と、
第３孔を有し、前記第３接続口板と接続する１支持板と、
第４孔を有し、前記第３接続口板と接続する２支持板と、
を有する副カバーと、
前記第１孔、前記第２孔、前記第３孔及び前記第４孔を貫通し、前記主カバーと前記副カバーを前記エルボに固定する締結部品と、を備える。
【０００５】
本考案の第２の側面は、２つの第１接続口を有する主管と、前記主管から分岐して第２接続口を有する枝管とを含むティーに装着されるカバー体であって、
主カバーであって、
２つの第１孔を有し、前記主管と前記枝管とに面する１側面に接して配置された１側板と、
２つの第２孔を有し、前記ティーの前記１側面と反対側の２側面に接して配置された２側板と、
前記主管に接して、前記第１側面と前記第２側面とを接続し、前記第２接続口から見て前記エルボの背面に接して配置された背板と、
前記背板に接続し、それぞれの前記第１接続口に面して配置され、前記第１側板と前記第２側板と前記第１接続口との空間のうちの前記背板に連なる１半面を塞ぐ一対の第１接続口板と、
を有する主カバーと、
一対の副カバーであって、
前記第１接続口の前記１半面と反対側の２半面を塞ぐ第２接続口板と、
前記第２接続口板と接続し、前記第２接続口の半面を塞ぐ第３接続口板と、
第３孔を有し、前記第３接続口板と接続する１支持板と、
第４孔を有し、前記第３接続口板と接続する２支持板と、
を有する副カバーと、
前記第１孔、前記第２孔、前記第３孔及び前記第４孔を貫通し、前記主カバーと前記副カバーを前記エルボに固定する締結部品と、を備える。
【０００６】
本考案の第３の側面は、配管を接続する接続口及び雄ねじを有するエルボコネクタに装着されるカバー体であって、
主カバーであって、
第１孔を有し、接続口の軸線と前記雄ねじの軸線に面した前記エルボコネクタの１側面に接して配置された第１側板と、
第２孔を有し、前記第１側板と反対側の２側面に接して配置された第２側板と、
前記第１側板と前記第２側板とを接続し、前記雄ねじから見て前記エルボの背面に接して配置された第１背板と、
前記第１背板と接続し、前記接続口から見て前記エルボの背面に接して配置された第２背板と、
前記第１背板に接続し、前記接続口に面して配置され、前記第１側板と前記第２側板と前記接続口との空間のうちの前記背板に連なる１半面を塞ぐ接続口板と、
を有する主カバーと、
副カバーであって、
前記接続口の前記１半面と反対側の２半面を塞ぐ第２接続口板と、
前記第２接続口板と接続し、前記接続口の側面に接して配置された胸板と、
第３孔を有し、前記胸板と接続する１支持板と、
第４孔を有し、前記胸板と接続する２支持板と、
を有する副カバーと、
前記第１孔、前記第２孔、前記第３孔及び前記第４孔を貫通し、前記主カバーと前記副カバーを前記エルボに固定する締結部品と、を備える。
【考案の効果】
【０００７】
本考案によれば、配管施工後に配管継手に装着できるカバー体を提供できる。
【図面の簡単な説明】
【０００８】
【図１】第１実施形態のカバー体の斜視図
【図２】第１実施形態の主カバーの展開図
【図３】第１実施形態の副カバーの展開図
【図４】第１実施形態のカバー体の分解組立図
【図５】第２実施形態のカバー体の斜視図
【図６】第２実施形態の主カバーの展開図
【図７】第２実施形態のカバー体の分解組立図
【図８】第３実施形態のカバー体の斜視図
【図９】第３実施形態の主カバーの展開図
【図１０】第３実施形態の副カバーの展開図
【図１１】第３実施形態のカバー体の分解組立図
【考案を実施するための形態】
【０００９】
（第１実施形態）
図１及び図４に示すように、本実施形態のカバー体１０は、主カバー１１、副カバー１３、ボルト（締結部品）１５と、を含む。カバー体１０は、エルボ１（図４参照）に装着される。エルボ１は、食い込み継手であり、第１接続口１ａと第２接続口１ｂを有する。第１接続口１ａと第２接続口１ｂには、配管３がそれぞれ接続される。配管３は、例えば金属配管である。配管３は、例えば高圧配管であり、適応圧力が１５〜８０ＭＰａである。
【００１０】
図２、図３、図６、図９及び図１０において、実線は切断線、一点鎖線は山折り線を示す。図１０の二点鎖線は谷折り線である。
【００１１】
図２、図４に示すように、主カバー１１は、一枚の金属薄板で構成される。薄板は、例えばステンレス鋼であり、厚みは例えば０．１ｍｍ〜０．５ｍｍである。主カバー１１は、第１側板１１ａ、第２側板１１ｃ、第１背板１１ｂ、第２背板１１ｆ、第１接続口板１１ｄ、第２接続口板１１ｈ、第３支持板１１ｅ及び第４支持板１１ｇを含む。
第１側板１１ａは、第１孔１１ａ１と切除部１１ａ２を含み、第１背板１１ｂと接続する。第１孔１１ａ１は、第１側板１１ａの中央部に配置される。エルボ１を第１側板１１ａに投影したときに、第１孔１１ａ１は、エルボ１の内側に配置される。第１孔１１ａ１の径は、ボルト１５の雄ねじの谷の径と同一の径である。切除部１１ａ２は第１背板１１ｂと第２背板１１ｆと隣り合わない角部に設けられる。図４に示すように、第１側板１１ａは、第１接続口１ａの側面と第２接続口１ｂの側面に面するエルボ１の側面に接する。
第２側板１１ｃは、第２孔１１ｃ２を有する。第２側板１１ｃは、第１側板１１ａと同一形状である。第２側板１１ｃは、第１側板１１ａと平行である。
第１背板１１ｂは、第２接続口１ｂから見て、エルボ１の背面に配置される。第１背板１１ｂは、第１側板１１ａ及び第２側板１１ｃに垂直である。
第２背板１１ｆは、第１背板１１ｂと接続し、第１接続口１ａから見て、エルボ１の背面に配置される。第２背板１１ｆは、第１背板１１ｂ及び第１側板１１ａに互いに垂直である。第２背板１１ｆは、第１背板１１ｃと同一形状である。
第１接続口板１１ｄは、接続溝１１ｄ１を有し、第１背板１１ｂに接続する。図４に示すように、第１接続口板１１ｄは第１接続口１ａに面して配置され、第１接続口１ａの一方の半面を覆う。接続溝１１ｄ１は半円形であり、第１接続口１ａを露出し、配管３が第１接続口１ａに挿入できるように構成される。第１接続口板１１ｄは、第２背板１１ｆと平行である。
第２接続口板１１ｈは、第１接続口板と同一形状であり、第２背板１１ｆに接続する。第２接続口板１１ｈは、第２接続口１ｂに面して配置され、第２接続口１ｂの一方の半面を覆う。第２接続口板１１ｈは、第１背板１１ｂと平行である。
第３支持板１１ｅは、第５孔１１ｅ１を有し、第２背板１１ｆに接続し、第１側板１１ａに重なる。第３支持板１１ｅは、第１側板１１ａと同一形状で良い。第３支持板１１ｅは、第５孔１１ｅ１を支持できればよく、不要な部分を削除しても良い。好ましくは、第３支持板１１ｅは、第２背板との間の折れ線に沿って延びた板部１１ｅ２を有する。第３支持板１１ｅは第１側板１１ａと重なる。
第４支持板１１ｇは、第６孔１１ｇ１を有し、第２背板１１ｆに接続する。第４支持板１１ｇは、第１支持板１１ｅと同一形状であり、第２側板１１ｃと重なる。
【００１２】
図３に示すように、副カバー１３は、一枚の金属薄板で構成される。副カバー１３は、第３接続口板１３ａと、第４接続口板１３ｂと、第１支持板１３ｃと、第２支持板１３ｄと、連結板１３ｅと、を有する。
第３接続口板１３ａは、第１接続口板１１ｄと同一形状であり、第１接続口１ａの他方の半面を覆う。第３接続口板１３ａは、第１接続口板１１ｄと同一平面に配置される。
第４接続口板１３ｂは、第１接続口板１１ｄと同一形状であり、第２接続口１ｂの他方の半面を覆う。第４接続口板１３ｂは、第２接続口板１１ｈと同一平面に配置される。
連結板１３ｅは、長方形であり、第３接続口板１３ａと第４接続口板１３ｂとを接続する。
第１支持板１３ｃは、第３孔１３ｃ１を有し、連結板１３ｅに接続する。図４に示すように、第１支持板１３ｃは、第１側板１１ａと重なる。第３孔１３ｃ１は第１孔１１ａ１に重なる。第１支持板１３ｃは、第３接続口板１３ａ及び第４接続口板１３ｂに互いに垂直である。
第２支持板１３ｄは第１支持板１３ｃと同一形状であり、第４孔１３ｄ１を有する。第２支持板１３ｄは第２側板１１ｃと重なる。第２支持板１３ｄは、第１支持板１３ｃと平行である。
【００１３】
図４に示すように、主カバー１１は、エルボ１の外側からエルボ１にかぶせられる。副カバー１３は、エルボ１の内側から、エルボ１に当てられる。第１孔１１ａ１、第５孔１１ｅ１、第３孔１３ｃ１は重なりあう。また、第２孔１１ｃ１、第６孔１１ｇ１、第４孔１３ｄ１も重なり合う。第１〜第６孔を貫通して、ボルト１５が挿入される。第２孔１１ｃ２の径がボルト２５の谷の径と同じであるため、ボルト１５は、第２孔１１ｃ２にねじ込まれて固定される。ボルト１５を締結するためのナットは不要である。ボルト２５がエルボ１の内側に配置されるため、主カバー１１及び副カバー１３が外れにくい。
第３支持板１１ｅは、板部１１ｅ２を有するため、第１側板１１ａと第２背板１１ｆとの隙間から液体が噴出することを抑制できる。第１側板１１ａと第１背板１１ｂが接続しているため、第１側板１１ａと第１背板１１ｂの間から液体が噴出することを抑制できる。
主カバー１１と副カバー１３は、金属薄板で構成されるため、エルボ１が破れてエルボ１内部を流動する液体が噴出しても、カバー体１０の外部へ液体が噴出することを抑制できる。
【００１４】
主カバー１１と副カバー１３は、エルボ１の外側と内側から装着できるため、配管３が接続された状態のエルボ１にカバー体１０を装着できる。主カバー１１と副カバー１３は、共同して、エルボ１の全面を覆う。そのため、エルボ１の一部が破けて内部を流動する液体が噴出した場合にも、カバー体１０は液体の噴流をせき止められる。
【００１５】
なお、第３支持板１１ｅ及び第４支持板１１ｇは省いても良い。
また、ボルト１５が挿入されたときに、最後に通過する孔（例えば第２孔１１ｃ２）のみがボルト２５の谷の径と同じであり、他の孔はボルト２５の山の径よりも大きくて良い。
【００１６】
（第２実施形態）
図５及び図７に示すように、本実施形態のカバー体２０は、ティー２に装着される。ティー２は、主管２ａと、枝管２ｂと、２つの第１接続口２ｃと、第２接続口２ｄと、を有する。第１接続口２ｃは主管２ａの両端に配置される。第２接続口２ｄは枝管２ｂの先端に配置される。第１接続口２ｃと、第２接続口２ｄには、それぞれ配管３が挿入される。カバー体２０は、主カバー２１と、２つの副カバー２３と、ヒンジピン（締結部品）２５と、を含む。
【００１７】
図６及び図７に示すように、主カバー２１は、第１側板２１ａと、第２側板２１ｃ２と、背板２１ｂと、一対の第１接続口板２１ｄを有する。主カバー２１は、一枚の金属薄板で構成される。
第１側板２１ａは２つの第１孔２１ａ１を有し、主管２ａと枝管２ｂの側面に面して、ティー２に接して配置される。ティー２を第１側板２１ａに投影したときに、第１孔２１ａ１は、主管２ａと枝管２ｂとの間にそれぞれ配置する。
第２側板２１ｃは、第１側板２１ａと同一形状であり、ティー２に対して、第１側板２１ａと反対面に接して配置される。第２側板２１ｃは、第２孔２１ｃ１を有する。第２側板２１ｃは、第１側板２１ａに平行である。
背板２１ｂは、第２接続口２ｄから見たときに、主管２ａの背面に接して配置される。背板２１ｂは、第１側板２１ａと第２側板に互いに垂直である。
第１接続口板２１ｄは、第１接続口２ｃに面して配置される。第１接続口板２１ｄの背板２１ｂからの高さ２２は、背板２１ｂから配管３までの距離に等しい。第１接続口板２１ｄには配管３が通過する溝を設けられていない。第１接続口板２１ｄは第１接続口２ｃの周囲の概ね半面を覆う。第１接続口板２１ｄは、第１側板２１ａと背板２１ｂに互いに垂直である。
【００１８】
図７に示すように、副カバー２３は、第２接続口板２３ａと、第３接続口板２３ｂと、第１支持板２３ｃと、第２支持板２３ｄと、を有する。副カバー２３は、一枚の金属薄板で構成される。
第２接続口板２３ａは、第１の接続口溝２３ａ１を有し、第１接続口２ｃに接して配置され、背板２１ｂに垂直に延びる。第２接続口板２３ａは、第１接続口板２１ｂに接する。第１の接続口溝２３ａ１はＵ字状であり、第１接続口２ｃを露出する。第２接続口板２３ａは、第１接続口２ｃの周囲の概ね半面を覆う。第２接続口板２３ａは、第１接続口板２１ｄと同一平面上に配置される。
第３接続口板２３ｂは、第２の接続口溝２３ｂ１を有し、第２接続口２ｄに接して、第１接続口２ｃに沿って延びて配置され、第２接続口板２３ａと接続する。一組の第３接続口板２３ｂは、第２接続口２ｄの周囲の半面ずつを覆う。第２の接続口溝２３ｂ１は、半円形であり、第２接続口２ｄを露出させる。第３接続口板２３ｂは、第２接続口板２３ａと垂直である。
第１支持板２３ｃは、舌状をなし、第３孔２３ｃ１を有する。第１支持板２３ｃは、第３接続口板２３ｂに接続し、第１側板２１ａに重なる。第３孔２３ｃ１は、第１孔２１ａ１に重なる。第１支持板２３ｃは、第２接続口板２３ａ及び第３接続口板２３ｂに互いに垂直である。
第２支持板２３ｄは、第２支持板２３ｃと同一形状であり、第４孔２３ｄ１を有する。第２支持板２３ｄは、第３接続口板２３ｂに接続し、第２側板２１ｃに重なる。第４孔２３ｄ１は、第２孔２１ｃ１に重なる。第２支持板２３ｄは、第２接続口板２３ａ及び第３接続口板２３ｂに互いに垂直である。
【００１９】
ヒンジピン２５は、止め輪溝２５ａを有し、第１孔２１ａ１、第３孔２３ｃ１、第４孔２３ｄ１、第２孔２１ｃ１を貫通する。例えば、ヒンジピン２５が１側板２１ａから挿入されたとき、止め輪溝２５ａは２側板２１ｃよりも突き出る。このとき、止め輪（不図示）が、止め輪溝２５ａにはめられる。止め輪は例えばＣ型止め輪、Ｅ型止め輪である。ヒンジピン２５は止め輪によって、副カバー２３を主カバー２１に固定する。
【００２０】
（第３実施形態）
図８及び図１１に示すように、本実施形態のカバー体３０は、エルボコネクタ７に装着される。エルボコネクタ７は、配管接続口７ａと、雄ねじ７ｂと、を有する。カバー３０は、主カバー３１と、副カバー３３と、ボルト１５と、を有する。
【００２１】
図９及び図１１に示すように、主カバー３１は、第１側板３１ａと、第２側板３１ｃと、第１背板３１ｂと、第２背板３１ｆと、第１接続口板３１ｄと、第３支持板３１ｅと、第４支持板３１ｆと、を有する。主カバー３１は、一枚の金属薄板で構成される。
第１側板３１ａは、第１孔３１ａ１を有し、配管接続口７ａと雄ねじ７ｂの側面に面して、エルボコネクタ７の１側面に接して配置される。第１側板３１ａはＬ字状である。第１孔３１ａ１は、エルボコネクタ７を第１側板３１ａに投影したときに、配管接続口７ａと雄ねじ７ｂの内側に配置される。
第２側板３１ｃは、第１側板３１ｅと同一形状であり、エルボコネクタ７の第１側板３１ｃの反対面に配置される。第２側板３１ｃは第２孔３１ｃ１を有する。第２側板３１ｃは、第１側板３１ａに平行である。
第１背板３１ｂは、雄ねじ７ｂから見て、エルボコネクタ７の背面に位置し、エルボコネクタ７に接して配置される。第１背板３１ｂは、第１側板３１ａ及び第２側板３１ｃに互いに垂直である。
第１接続口板３１ｄは、第１接続口板１１ｄと同一形状であり、配管接続口７ａに面して配置され、配管接続口７ａの周囲の一半面を覆う。第１接続板３１ｄは、第１側板３１ａ及び第１背板３１ｂに互いに垂直である。
第２背板３１ｆは、配管接続口７ａから見て、エルボエルボコネクタ７の背面に位置し、エルボコネクタ７に接して配置される。第２背板３１ｆは、第１側板３１ａ及び第１背板３１ｂに互いに垂直である。
第３支持板３１ｅは、三角形状であり、第２背板３１ｆに接続する。第３支持板３１ｅは、第５孔３１ｅ１を有する。第３支持板３１ｅは、第２背板３１ｆと垂直に配置され、第１側板３１ａに重なる。第５孔３１ｅ１は、第１孔３１ａ１に重なる。
第４支持板３１ｇは第３支持板３１ｅと同一形状であり、第６孔３１ｇ１を有する。第４支持板３１ｇは、第２背板３１ｆに接続し、第２背板３１ｆと垂直に配置され、第２側板３１ｃに重なる。
【００２２】
図１０及び図１１に示すように、副カバー３３は、第２接続口板３３ａと、胸板３３ｂと、第１支持板３３ｃと、第２支持板３３ｄと、腹板３３ｅと、を有する。
第２接続口板３３ａは、第１接続口板１１ｄと同一形状であり、配管接続口７ａに面して配置され、配管接続口７ａの周囲の他半面を覆う。
胸板３３ｂは、第１背面３１ｂと平行に、エルボコネクタ７の内側に配置される。胸板３３ｂは、主カバー３１のエルボコネクタ７の雄ねじ側の開口を覆う。胸板３３ｂは、第２接続口板３３ａに略垂直に配置される。
腹板３３ｅは、胸板３３ｂに接続し、第２接続口板３３ａに平行に配置される。腹板３３ｅは、雄ねじ７ｂの、接続口７ａ側を覆う。
第１支持板３３ｃは、胸板３３ｂに接続して、第１側板３１ａに重ねて配置される。第１支持板３３ｃは、第３孔３３ｃ１を有する。第３孔３３ｃ１は、第１孔３１ａ１に重なる。第１支持板３３ｃは、胸板３３ｂに垂直に配置される。
第２支持板３３ｄは、第４孔３３ｄ１を有し、第１支持板３３ｃと同一形状であり、第２側板３１ｃに重ねて配置される。第４孔３３ｄ１は、第２孔３１ｃ１に重なる。第２支持板は、胸板３３ｂに垂直に配置される。
【００２３】
ボルト１５は、第１孔３１ａ１、第５孔３１ｅ１、第３孔３３ｃ１、第２孔３１ｃ１、第４孔３３ｄ１及び第６孔３１ｇ１を貫通し、副カバー３３を主カバー３１に固定する。
【００２４】
なお、第３支持板３１ｅ、第４支持板３１ｆや腹板３３ｅは省いても良い。腹板３３ｅを省くときにおいて、好ましくは、胸板３３ｂを第１背面３１ｂと平行に設けずに、第２接続口板３３ａから雄ねじ７ｂに向かって傾斜して配置する。すると、雄ねじ７ｂが破れて液体が噴出したときには、胸板３３ｂが液体の噴流の勢いをそぐ。
【００２５】
本考案は前述した実施形態に限定されず、本発明の要旨を逸脱しない範囲で種々の変形が可能であり、実用新案請求の範囲に記載された技術思想に含まれる技術的事項の全てが本考案の対象となる。前記実施形態は、好適な例を示したものであるが、当業者ならば、本明細書に開示の内容から、各種の代替例、修正例、変形例あるいは改良例を実現することができ、これらは添付の実用新案請求の範囲に記載された技術的範囲に含まれる。
【符号の説明】
【００２６】
１  エルボ
２  ティー
７  エルボコネクタ
１０、２０、３０  カバー体
１１、２１、３１  主カバー
１３、２３、３３  副カバー
【図１】
0003230472.tif 000003
【図２】
0003230472.tif 000004
【図３】
0003230472.tif 000005
【図４】
0003230472.tif 000006
【図５】
0003230472.tif 000007
【図６】
0003230472.tif 000008
【図７】
0003230472.tif 000009
【図８】
0003230472.tif 000010
【図９】
0003230472.tif 000011
【図１０】
0003230472.tif 000012
【図１１】
0003230472.tif 000013
【手続補正書】
【提出日】令和2年11月18日(2020.11.18)
【手続補正１】
【補正対象書類名】実用新案登録請求の範囲
【補正対象項目名】全文
【補正方法】変更
【補正の内容】
【実用新案登録請求の範囲】
【請求項１】
第１接続口と、第２接続口と、を有するエルボに装着されるカバー体であって、
主カバーであって、
第１孔を有し、前記第１接続口と前記第２接続口の１側面に接して配置された第１側板と、
第２孔を有し、前記エルボの前記１側面と反対の２側面に接して配置された第２側板と、
前記第１側板と前記第２側板とを接続し、前記第２接続口から見て前記エルボの背面に接して配置された第１背板と、
前記第１背板と接続し、前記第１接続口から見て前記エルボの背面に接して配置された第２背板と、
前記第１背板に接続し、前記第１接続口に面して配置され、前記第１側板と前記第２側板と前記第１接続口との空間のうちの前記第１背板に連なる１半面を塞ぐ第１接続口板と、
前記第２背板に接続し、前記第２接続口に面して配置され、前記第１側板と前記第２側板と前記第２接続口との空間のうちの前記第２背板に連なる１半面を塞ぐ第２接続口板と、を有する主カバーと、
副カバーであって、
前記第１接続口の前記１半面と反対側の２半面を塞ぐ第３接続口板と、
前記第３接続口板と接続し、前記第２接続口の前記１半面と反対側の２半面を塞ぐ第４接続口板と、
第３孔を有し、前記第３接続口板と接続する１支持板と、
第４孔を有し、前記第３接続口板と接続する２支持板と、
を有する副カバーと、
前記第１孔、前記第２孔、前記第３孔及び前記第４孔を貫通し、前記主カバーと前記副カバーを前記エルボに固定する締結部品と、
を備えるカバー体。
【請求項２】
前記主カバーは、
前記第２背板に接続され、前記第１側板に重ねて配置され、前記第１孔と重なる第５孔を有する第１支持板と、
前記第２背板に接続され、前記第２側板に重ねて配置され、前記第２孔と重なる第６孔を有する第２支持板と、を有し、
前記締結部品は前記第５孔及び前記第６孔を貫通する、
請求項１のカバー体。
【請求項３】
前記第１接続口板と前記第３接続口板との少なくともいずれか一方に配置され、前記第１接続口を露出させる第１の接続溝と、
前記第２接続口板と前記第４接続口板との少なくともいずれか一方に配置され、前記第２接続口を露出させる第２の接続溝と、を備える、
請求項１又は２のカバー体。
【請求項４】
２つの第１接続口を有する主管と、前記主管から分岐して第２接続口を有する枝管とを含むティーに装着されるカバー体であって、
主カバーであって、
２つの第１孔を有し、前記主管と前記枝管とに面する１側面に接して配置された１側板と、
２つの第２孔を有し、前記ティーの前記１側面と反対側の２側面に接して配置された２側板と、
前記主管に接して、前記１側板と前記２側板とを接続し、前記第２接続口から見て前記ティーの背面に接して配置された背板と、
前記背板に接続し、それぞれの前記第１接続口に面して配置され、前記１側板と前記２側板と前記第１接続口との空間のうちの前記背板に連なる１半面を塞ぐ一対の第１接続口板と、
を有する主カバーと、
一対の副カバーであって、
前記第１接続口の前記１半面と反対側の２半面を塞ぐ第２接続口板と、
前記第２接続口板と接続し、前記第２接続口の半面を塞ぐ第３接続口板と、
第３孔を有し、前記第３接続口板と接続する１支持板と、
第４孔を有し、前記第３接続口板と接続する２支持板と、
を有する副カバーと、
前記第１孔、前記第２孔、前記第３孔及び前記第４孔を貫通し、前記主カバーと前記副カバーを前記ティーに固定する締結部品と、
を備えるカバー体。
【請求項５】
前記第１接続口板と前記第２接続口板との少なくともいずれか一方に配置され、前記第１接続口を露出させる第１の接続溝と、
前記第３接続口板に配置され、前記第２接続口を露出させる第２の接続溝と、を備える、
請求項４のカバー体。
【請求項６】
前記締結部品は、前記第１接続口と前記第２接続口との中間に配置される、
請求項１〜５のいずれかのカバー体。
【請求項７】
配管を接続する接続口及び雄ねじを有するエルボコネクタに装着されるカバー体であって、
主カバーであって、
第１孔を有し、前記接続口の軸線と前記雄ねじの軸線に面した前記エルボコネクタの１側面に接して配置された第１側板と、
第２孔を有し、前記第１側板と反対側の２側面に接して配置された第２側板と、
前記第１側板と前記第２側板とを接続し、前記雄ねじから見て前記エルボコネクタの背面に接して配置された第１背板と、
前記第１背板と接続し、前記接続口から見て前記エルボコネクタの背面に接して配置された第２背板と、
前記第１背板に接続し、前記接続口に面して配置され、前記第１側板と前記第２側板と前記接続口との空間のうちの前記第１背板に連なる１半面を塞ぐ第１接続口板と、
を有する主カバーと、
副カバーであって、
前記接続口の前記１半面と反対側の２半面を塞ぐ第２接続口板と、
前記第２接続口板と接続し、前記接続口の側面に接して配置された胸板と、
第３孔を有し、前記胸板と接続する１支持板と、
第４孔を有し、前記胸板と接続する２支持板と、
を有する副カバーと、
前記第１孔、前記第２孔、前記第３孔及び前記第４孔を貫通し、前記主カバーと前記副カバーを前記エルボコネクタに固定する締結部品と、
を備えるカバー体。
【請求項８】
前記主カバーは、
前記第２背板に接続され、前記第１側板に重ねて配置され、前記第１孔と重なる第５孔を有する第１支持板と、
前記第２背板に接続され、前記第２側板に重ねて配置され、前記第２孔と重なる第６孔を有する第２支持板と、を有し、
前記締結部品は前記第５孔及び前記第６孔を貫通する、
請求項７のカバー体。
【請求項９】
前記第１接続口板と前記第２接続口板との少なくともいずれか一方に配置され、前記接続口を露出させる接続溝を備える、
請求項７のカバー体。
【請求項１０】
前記締結部品は、前記接続口と前記雄ねじとの中間に配置される、
請求項７〜９のいずれかのカバー体。
【請求項１１】
前記締結部品はねじであり、
前記第１孔と、前記第２孔と、前記第３孔と、前記第４孔の少なくとも１つは、前記ねじの谷の径と同一の穴径を有する、
請求項７〜１０のいずれかのカバー体。